(57)【要約】【課題】頭部全体を広範囲に亘って一気に部分カット、部分染めすることが可能な理美容用櫛及び理美容方法を提供する。【解決手段】基部２と、基部２から互いに略平行に延長されてなり、幅方向へ二股に分岐させた分岐部３２を先端に形成させた櫛歯３とを備え、櫛歯３の長さは、１０〜３０ｃｍであり、分岐部３２は、二股に分岐させた略Ｕ形又は略Ｖ形の溝３３が形成され、溝３３の深さは、０．５〜３ｃｍであることを特徴としている。【選択図】図１
2011045407.tif 000002
【特許請求の範囲】
【請求項１】
基部と、
上記基部から互いに略平行に延長されてなり、幅方向へ二股に分岐させた分岐部を先端に形成させた櫛歯とを備えること
を特徴とする理美容用櫛。
【請求項２】
上記櫛歯の長さは、１０〜３０ｃｍであること
を特徴とする請求項１記載の理美容用櫛。
【請求項３】
上記分岐部は、二股に分岐させた略Ｕ形又は略Ｖ形の溝が形成され、
上記溝の深さは、０．５〜３ｃｍであること
を特徴とする請求項２記載の理美容用櫛。
【請求項４】
支持部と、上記支持部の一側に一列に互いに略平行に設けられた複数の立上用櫛歯とを備え、上記立上用櫛歯は、根元から先端までの長さが７．０〜２３．０ｃｍであり、その当接部を介して当接させた頭部に向かって押圧されることにより、各々が上記頭部の形状に応じて、当該櫛歯の厚み方向の撓みが１．０ｃｍ以上６．０ｃｍ以下となるように湾曲されて曲げ弾性変形する立上用理美容櫛におけるその櫛歯を頭部に当接させ、
上記当接部を上記頭部に向かって押圧しながら上記立上用理美容櫛をスライドさせることにより、上記頭部の毛髪を上記立上用櫛歯の間に通しながら、各々の櫛歯を上記頭部の形状に対応して曲げ弾性変形させ、
上記立上用理美容櫛により毛髪を立ち上げた状態で、請求項１〜３のうち何れか１項記載の理美容用櫛における上記櫛歯をその毛髪に挿入し続けることにより、その櫛歯の分岐部に捉えた毛髪を順次押し寝かせて上記立ち上げられた毛髪を梳き、
その梳いた毛髪を理美容すること
を特徴とする理美容方法。
【請求項５】
他の櫛により上記毛髪を立ち上げた状態で、請求項１〜３のうち何れか１項記載の理美容用櫛における上記櫛歯をその毛髪に挿入し続けることにより、その櫛歯の分岐部に捉えた毛髪を順次押し寝かせて上記立ち上げられた毛髪を梳き、
その梳いた毛髪を理美容すること
を特徴とする理美容方法。
【発明の詳細な説明】
【技術分野】
【０００１】
本発明は、主に毛髪をカットする時や染色する時に用いられる理美容用櫛及び理美容方法に関する。
【背景技術】
【０００２】
従来、美容師や理髪師といった施術者が毛髪をカットする場合、先ず櫛を用いて毛髪を梳かす（以下、コーミングという。）。そしてコーミングを数回行った後、はさみにより毛髪をカットする。また毛髪を染色する場合においても、同様にコーミングを数回行った後、毛髪を染色する。
【０００３】
通常、このコーミングした毛髪はまとめてカットするか又は染色を行うが、特に近年の理美容方法の多様化に伴い、コーミングした毛髪を部分的にカットしたり、染色を行う場合もある。いわゆるハイライトといわれる頭髪の部分染めが流行していることからも、特にこの毛髪をいかに部分的に捉えるかが懸案となっていた。
【０００４】
従来、この部分カットや部分染めを実施する場合、カット若しくは染色しようとする部分の頭髪を、テールコームのテールで引っ掛けることにより、毛髪を部分的につかむことが従来より行われていた。
【０００５】
また部分染め等を実際に行うためのヘアブラシも開発されている（例えば、特許文献１、２参照。）
【先行技術文献】
【特許文献】
【０００６】
【特許文献１】特開平１０−２９５４４５号公報
【特許文献２】特開２００１−０００２４４号公報
【発明の概要】
【発明が解決しようとする課題】
【０００７】
しかしながら、上述した従来のヘアブラシでは、一回のコーミングによって捉えさせることができる毛髪は少量であり、頭部全体を広範囲に亘って一気に部分カット、部分染めする際において効率よく作業することができないという問題があった。また特願２００９−０７６３９８号公報に記載の理美容用櫛及び理美容方法とのコラボレーションで使用することができる櫛も従来より望まれていた。
【０００８】
そこで本発明は、上述した問題点に鑑みて案出されたものであり、その目的とするところは、頭部全体を広範囲に亘って一気に部分カット、部分染めすることが可能な理美容用櫛及び理美容方法を提供することにある。
【課題を解決するための手段】
【０００９】
本願第１の発明に係る理美容用櫛は、基部と、上記基部から互いに略平行に延長されてなり、幅方向へ二股に分岐させた分岐部を先端に形成させた櫛歯とを備えることを特徴とする。
【００１０】
本願第２の発明に係る理美容用櫛は、第１の発明において、上記櫛歯の長さは、１０〜３０ｃｍであることを特徴とする。
【００１１】
本願第３の発明に係る理美容用櫛は、第２の発明において、上記分岐部は、二股に分岐させた略Ｕ形又は略Ｖ形の溝が形成され、上記溝の深さは、０．５〜３ｃｍであることを特徴とする。
【００１２】
本願第４の発明に係る理美容方法は、支持部と、上記支持部の一側に一列に互いに略平行に設けられた複数の立上用櫛歯とを備え、上記立上用櫛歯は、根元から先端までの長さが７．０〜２３．０ｃｍであり、その当接部を介して当接させた頭部に向かって押圧されることにより、各々が上記頭部の形状に応じて、当該櫛歯の厚み方向の撓みが１．０ｃｍ以上６．０ｃｍ以下となるように湾曲されて曲げ弾性変形する立上用理美容櫛におけるその櫛歯を頭部に当接させ、上記当接部を上記頭部に向かって押圧しながら上記立上用理美容櫛をスライドさせることにより、上記頭部の毛髪を上記立上用櫛歯の間に通しながら、各々の櫛歯を上記頭部の形状に対応して曲げ弾性変形させ、上記立上用理美容櫛により毛髪を立ち上げた状態で、請求項１〜３のうち何れか１項記載の理美容用櫛における上記櫛歯をその毛髪に挿入し続けることにより、その櫛歯の分岐部に捉えた毛髪を順次押し寝かせて上記立ち上げられた毛髪を梳き、その梳いた毛髪を理美容することを特徴とする。
【００１３】
本願第５の発明に係る理美容方法は、他の櫛により上記毛髪を立ち上げた状態で、第１〜３のうち何れか１の発明に係る理美容用櫛における上記櫛歯をその毛髪に挿入し続けることにより、その櫛歯の分岐部に捉えた毛髪を順次押し寝かせて上記立ち上げられた毛髪を梳き、その梳いた毛髪を理美容することを特徴とする。
【発明の効果】
【００１４】
上述した構成からなる本発明によれば、分岐部が通過した後は、毛髪が押し寝かされた領域（非斜線領域）となり、櫛歯の間隙に挿入された毛髪は、分岐部により押し寝かせられることなく、毛髪が立ち上げられた状態で維持されている領域として残ることになる。即ち、この理美容用櫛を挿入することにより、立上用理美容櫛により立ち上げられた状態にある毛髪を部分的に梳くことが可能となる。
【００１５】
即ち、本発明を適用した理美容方法によれば、立上用理美容櫛により立ち上げられた毛髪に対して、理美容用櫛を挿入するという極めて簡単な操作のみで、その毛髪を部分的に梳くことが可能となる。また、本発明によれば、一回のコーミングによって捉えさせることができる毛髪は大量であり、頭部全体を広範囲に亘って一気に部分カット、部分染めする際において効率よく作業することができる。
【図面の簡単な説明】
【００１６】
【図１】本発明を適用した理美容用櫛の構成図である。
【図２】立上用理美容櫛の構成図である。
【図３】立上用理美容櫛の使用状態を示す図である。
【図４】立上用理美容櫛の使用状態を示す他の図である。
【図５】（ａ）は立上用櫛歯の先端部を当接部とした使用状態を示す図であり、（ｂ）は立上用櫛歯の中間部を当接部とした使用状態を示す図である。
【図６】立上用理美容櫛８により毛髪を立ち上げた状態を示す図である。
【図７】本発明を適用した理美容用櫛の使用状態を示す図である。
【図８】櫛歯の分岐部に捉えた毛髪を順次押し寝かせるメカニズムについて説明するための図である。
【図９】理美容用櫛を挿入し続けた状態を示す図である。
【図１０】毛髪が立ち上げられた状態で維持されている領域と、毛髪が押し寝かされた領域とを示す図である。
【図１１】毛髪を部分的に梳いた後、立上用理美容櫛を抜いた状態を示す図である。
【図１２】毛髪を部分的に梳いた後、本発明を適用した理美容用櫛を抜いた状態を示す図である。
【発明を実施するための形態】
【００１７】
以下、本発明の実施の形態について詳細に説明する。図１（ａ）は、本発明を適用した理美容用櫛１の正面図を、図１（ｂ）は、その側面図を、図１（ｃ）は、図１（ａ）中のＡ方向から見た平面図を示している。
【００１８】
本発明を適用した理美容用櫛１は、基部２と、櫛歯３とを備えている。
【００１９】
基部２は、実際に毛髪の理美容を行う施術者が手で把持するための部位であって、図１（ａ）における紙面前側に支持面２１ａが形成され、また紙面後側に支持面２１ｂと対向する支持面２ｂを有している。またこの基部２における右端には、右側面部２２ａが、さらにこの基部２の左端には左側面部２２ｂが形成されている。また、この基部２の下端には、底面部２３が形成されており、この底面部２３と対向する側、即ち基部２の上端側には櫛歯３が複数本に亘って設けられている。
【００２０】
基部２は、ポリプロピレンやポリカーボネート等の合成樹脂によって、後述する櫛歯３と一体的に成形されてなる。しかし、支持部２並びに櫛歯の材料は合成樹脂に限定されるものではなく、木材や金属等その他の材料でも構成されていてもよい。この基部２には、施術者が把持しやすい用に図示しない凸部又は凹部等が形成されていてもよい。
【００２１】
櫛歯３は、基部３から互いに略平行に延長されてなる。この櫛歯３は、基部２から延長される棒状部３１と、この棒状部３１の先端に形成された分岐部３２とを備えている。
【００２２】
棒状部３１は、一列に間隙４を空け、互いに略平行に設けられている。棒状部３１の本数は、６本であるが、これに限定されるものではない。棒状部３１は、延設方向に直線状に形成されているが、必ずしも直線状に限定されるものではない。即ち、棒状部３１は、厚み方向Ｂに向けて湾曲させて構成してもよい。また棒状部３１の間隙４は必ずしも同一間隔で構成されていなくてもよい。また、この棒状部３１の弾性率は、いかなる値で構成されていてもよく、押圧することにより容易に弾性変形可能な材料からなるようにしてもよい。
【００２３】
分岐部３２は、棒状部３１の先端から幅方向へ二股に分岐させてなる。この分岐部３２は、二股に分岐させた略Ｕ形又は略Ｖ形の溝３３が形成されている。この溝３３の深さｔ１１は、０．５〜３ｃｍである。また、この二股に分岐させた分岐部３２の先端は、丸みを帯びるように成形されていることが望ましい。あまりにこの分岐部３２の先端が先鋭化されていた場合には、これが被施術者の頭部に当接された場合に、被施術者が不快を感じるためである。
【００２４】
図１(c)に示すように、この理美容用櫛１をＡ方向から視認した場合には、溝３３と、間隙４とが幅方向Ｃに向けて交互に連続する構成となる。
【００２５】
また、この棒状部３１の根元から分岐部３２の先端に至るまでの長さを櫛歯３の長さＴ１としたとき、このＴ１の長さは、１０〜３０ｃｍである。
【００２６】
次に、本発明を適用した理美容用櫛１は、以下に説明する立上用理美容櫛８と併用して使用することが好適である。以下、立上用理美容櫛８の構成について説明をする。
【００２７】
図２（ａ）は、立上用理美容櫛８の正面図を、図２（ｂ）は、立上用理美容櫛８の平面図を、図２（ｃ）は、立上用理美容櫛８の側面図を示している。
【００２８】
立上用理美容櫛８は、支持部８２と、複数の立上用櫛歯８３とを備えている。
【００２９】
支持部８２は、実際に毛髪の理美容を行う施術者が手で把持するための部位である。支持部８２の厚みは、図２中、立上用櫛歯８３の厚みＨと略同じ厚みとされているが、必ずしも略同じ厚みとされる必要はない。支持部８２の厚みは立上用櫛歯８３の厚みＨより厚くても薄くてもよく、また部分的に立上用櫛歯８３の厚みＨより厚くても薄くてもよい。この支持部８２には施術者が把持しやすい用に図示しない凸部又は凹部等が形成されていてもよい。
【００３０】
支持部８２は、ポリプロピレンやエポキシ樹脂等の合成樹脂によって、後述する立上用櫛歯８３と一体成形にて製造できる。しかし、支持部８２の素材は合成樹脂に限定されるものではなく、木材や金属等その他の材料でもよい。
【００３１】
立上用櫛歯８３は、図２に示すように一列に間隙８４を空け、互いに略平行に設けられている。立上用櫛歯８３の本数は、適宜設定されていてもよい。
【００３２】
立上用櫛歯８３は、根元８３ａから先端８３ｄに至るまでに、中間部８３ｂと、中間部８３ｂから次第に縮径する狭小部８３ｃを有する。
【００３３】
以下において、根元８３ａとは、支持部８２と櫛歯８３の境目の部位とする。立上用櫛歯８３における根元８３ａから先端８３ｄまでの長さは、７．０〜２３．０ｃｍである。また、以下において先端部８３ｘは、特別に定義しない限り、狭小部３ｃと先端３ｄからなる部分のことをいう。
【００３４】
中間部８３ｂの横断面形状は、略長方形とされている。しかし中間部３ｂの断面形状は略長方形に限定されず、略円形、略楕円形或いは多角形等の他の形状とされてよい。また中間部８３ｂの幅Ｗ及び厚みＨは、根元８３ａから狭小部８３ｃに至るまで一定とされている。しかし幅Ｗが、部分的に広い部分や狭い部分が設けられてもよく、厚みＨが部分的に厚い部分や薄い部分が設けられてもよい。また立上用櫛歯８３は、根元８３ａから直ちに先端８３ｄに向かって縮径することで、中間部８３ｂが設けられない形状とされてもよい。
【００３５】
狭小部８３ｃは、中間部８３ｂから先端８３ｄに至るまで当該先端８３ｂを頂点とした四角錘の如き縮径されている。そして、この狭小部８３ｃは、横断面形状は四角形であるが、先端８３ｄ側に近づくにつれて略円形に近づく。
【００３６】
先端８３ｄは、狭小部８３ｃから連続しながら丸められ、任意の曲率半径を有している。但し、この先端８３ｄがあまりに先鋭化されている場合には、これが先端８３ｄが被施術者の頭部に当接された場合に、被施術者が不快を感じる。このため、ある程度丸みを帯びた曲率半径とされていることが望ましい。
【００３７】
次に、本発明を適用した理美容用櫛１を、上述した立上用理美容櫛８と併用して使用する方法について説明をする。
【００３８】
先ず図３に示すように、施術者は、全ての立上用櫛歯８３が略同一平面状に揃った状態の立上用理美容櫛８を一方の手に持ち、立上用櫛歯８３の先端部８３ｘを、カット又は染色したい毛髪６の手前位置で被施術者の頭部５に当接させる。そして、同時に頭部５に向かって立上用櫛歯８３を押圧し、ほぼ全ての立上用櫛歯８３を弾性変形させる。この動作によりほぼ全ての立上用櫛歯８３の先端部は、立上用櫛歯８３に対向する頭部５の湾曲面に沿って当接されることになる。
【００３９】
次に図４に示すように、施術者は、頭部５に向かって立上用櫛歯８３を押圧しつつ、立上用理美容櫛８全体を立上用櫛歯８３の延設方向にスライドさせることにより、立上用櫛歯８３の間隙８４に毛髪６を差し込ませる。この動作に伴い、立上用櫛歯８３は頭部５から応力を受け、各々の立上用櫛歯８３は引き続き弾性変形する。
【００４０】
ここで図５（ａ）に示すように、先端部８３ｘを頭部５に当接させながら、立上用理美容櫛８を頭部５の湾曲形状に沿ってスライドさせる動作をしてもよい。これにより、立上用櫛歯８３を毛髪６の根元に確実に接触させ、多くの毛髪６を捉えさせることができる。
【００４１】
また図５（ｂ）に示すように、中間部８３ｂを当接部として頭部５に当接させ、立上用理美容櫛８を直線的にスライドさせる動作をしてもよい。即ち、立上用櫛歯８３が応力を受ける位置は、先端部８３ｘから中間部８３ｂに移動し、さらに中間部８３ｂの中でも根元８３ａに移動することとなる。これにより、図５（ａ）の場合に比べ、一回のコーミングにかける時間を短くすることができる。
【００４２】
次に図６に示すように、施術者は、立上用理美容櫛８を頭部５から離して持ち上げる。この動作により全ての立上用櫛歯８３は、間隙８４に毛髪６が捉えられたまま、弾性変形により、略同一平面状に揃った状態に復元する。また、立上用櫛歯８３に捉えられている毛髪６は、図６に示すように、この持ち上げられた立上用理美容櫛８に向けて立ち上げられることになる。ここまでの立上用理美容櫛８による操作により、頭部の広範囲に亘る毛髪を一気に捉えてこれを立ち上げることが可能となる。
【００４３】
次に図７に示すように、立上用理美容櫛８をそのまま保持することで、毛髪６を立ち上げた状態で維持しつつ、本発明を適用した理美容用櫛１を毛髪６に向けて挿入する。このとき、立ち上げられた毛髪６に対しては、分岐部３２から先に挿入されていくことになる。なお、この理美容用櫛１の挿入方向は、立上用理美容櫛８の挿入方向とは異なる方向とされていることが望ましい。その理由として、理美容用櫛１の挿入方向と、立上用理美容櫛８の挿入方向とが同一である場合に、立ち上げられた毛髪が間隙８４内において動いてしまうためである。
【００４４】
そして、この理美容用櫛１を挿入し続けると、一部の毛髪１０１は、図８(a)に示すように分岐部３２において捉えられることになる。この状態でさらにＥ方向に向けて理美容用櫛１を挿入し続けると、この捉えられていた毛髪１０１は、図８(b)に示すように、分岐部３２に当接され、さらに押し寝かせられることになる。またこの理美容用櫛１の挿入を続けることにより、分岐部３２には毛髪１０２が捉えられることになる。
【００４５】
この状態でさらにＥ方向に向けて理美容用櫛１を挿入し続けると、この捉えられていた毛髪１０２は、図８(c)に示すように、分岐部３２に当接され、さらに押し寝かせられることになる。またこの理美容用櫛１の挿入を続けることにより、分岐部３２には毛髪１０３が捉えられることになる。
【００４６】
即ち、この動作を繰り返し実行することにより、理美容用櫛１における分岐部３２に捉えた毛髪を順次押し寝かせることが可能となる。その後、図９に示すように、理美容用櫛１を挿入し続ける。その結果、図１０に示すように、理美容用櫛１を挿入し続けた結果、毛髪が立ち上げられた状態で維持されている領域（斜線領域）と、毛髪が押し寝かされた領域（非斜線領域）とが形成されることになる。即ち、理美容用櫛１をＥ方向に向けて挿入したときに、分岐部３２が通過した後は、毛髪が押し寝かされた領域（非斜線領域）となり、櫛歯３の間隙４に挿入された毛髪は、分岐部３２により押し寝かせられることなく、毛髪が立ち上げられた状態で維持されている領域（斜線領域）として残ることになる。即ち、この理美容用櫛１をＥ方向に向けて挿入することにより、立上用理美容櫛８により立ち上げられた状態にある毛髪６を部分的に梳くことが可能となる。
【００４７】
このようにして毛髪を部分的に梳いた後、例えば図１１に示すように立上用理美容櫛８を抜き、部分的に梳かれた毛髪に対してカット、染色、パーマネントウェブ処理等の各種理美容施術を行うようにしてもよい。また、図１２に示すように、理美容用櫛１を抜き、部分的に梳かれた毛髪に対してカット、染色、パーマネントウェブ処理等の各種理美容施術を行うようにしてもよい。
【００４８】
このように、本発明を適用した理美容方法によれば、立上用理美容櫛８により立ち上げられた毛髪に対して、理美容用櫛１を挿入するという極めて簡単な操作のみで、その毛髪を部分的に梳くことが可能となる。また、本発明によれば、一回のコーミングによって捉えさせることができる毛髪は大量であり、頭部全体を広範囲に亘って一気に部分カット、部分染めする際において効率よく作業することができる。
【００４９】
なお、本発明を適用した理美容方法は、上述した実施の形態に限定されるものではない。即ち、本発明を適用した理美容方法において、立上用理美容櫛８を使用することは必須の構成要件とはならず、その代替として他の櫛を代用するようにしてもよい。かかる場合も同様に、他の櫛により毛髪を立ち上げた状態で、理美容用櫛１における櫛歯３をその毛髪に挿入し続けることにより、その櫛歯の分岐部３２に捉えた毛髪を順次押し寝かせてその立ち上げられた毛髪を梳くことになる。
【実施例１】
【００５０】
以下、本発明を適用した理美容用櫛１について、実際に櫛歯３の長さＴ１を最適化する上で行った検証について説明をする。
【００５１】
先ず櫛歯３の長さＴ１について６〜４０ｃｍに至るまで２ｃｍピッチでずらした各理美容用櫛１を作製した。次に、立上用理美容櫛８により上述した施術方法で毛髪を立ち上げる。次に作製した各理美容用櫛１を用いて、実際に、毛髪の押し寝かし容易性、作業性、捕捉性の各項目について評価を行った。
【００５２】
毛髪の押し寝かし容易性は、理美容用櫛１を実際に毛髪内に挿入したときに毛髪分岐部３２に捉えた毛髪を容易に押し倒すことが可能か否かを評価したものである。この押し寝かし容易性は、櫛歯の長さＴ１があまりに短いと、立上用理美容櫛８により立ち上げられた毛髪の全領域に対して分岐部３２が到達しないこともある。特に立上用理美容櫛８によれば、図７等に示すように広範囲に亘って毛髪を一気に立ち上げることができる。この大量の毛髪を梳くためには、櫛歯の長さＴ１がある程度長くすることにより分岐部３２が到達しえるようにする必要がある。かかる観点から、毛髪の押し寝かし容易性も評価指標の１つに加えている。
【００５３】
また、作業性は、施術者がこの理美容用櫛１を毛髪内に挿入する際の、櫛の取り扱いに関するストレスの度合いとしたものである。あまりにこの櫛歯３の長さＴ１が長い場合には、施術者が却って櫛の取扱いが困難になる場合があるため、これも評価項目の１つに加えている。更に捕捉性とは、分岐部３２内へ毛髪を捉えることができる度合いを表したものである。あまりに櫛歯３の長さが長い場合には、理美容用櫛１を把持する手の僅かなブレによって、分岐部３２もブレてしまい、分岐部３２内に毛髪を効率的に捕捉できなくなる。その結果、押し寝かせることができる毛髪の量が減ってしまうことになる。かかる観点から、捕捉性も評価指標の一つに加えている。
【００５４】
なお、これら作業性の評価は、３０年の経験を有する美容師により、カットウィックとしてフォンテーヌ社製レッスン用カットウィック（ＦＣ１０８Ｎ）を用いて、実際に理美容用櫛１による施術を行うことにより評価をした。評価は４段階とし、非常に優れている場合を◎、優れている場合を○、普通の場合を△、劣っている場合を×としている。
【００５５】
表１に、櫛歯の長さＴ１に対する各評価項目の評価結果を示す。
【００５６】
【表１】
2011045407.tif 000003
【００５７】
この表１の結果から、押し寝かし容易性は、１０ｃｍ以上になると良好な結果となる。また作業性並びに捕捉性は、３０ｃｍを超えると著しく悪化する。このため、この櫛歯の長さＴ１は、１０〜３０ｃｍが望ましいことが分かる。
【実施例２】
【００５８】
本発明者は、立上用理美容櫛８における立上用櫛歯８３の長さｓの好適範囲を明らかにするため、下記のような実験を行った。
【００５９】
この実験では、立上用櫛歯８３の長さｓが５．０〜２４．０ｃｍまでの間で異なる長さとされた立上用理美容櫛８を２０種類用意した。そして、最大垂直高さｈ＝１．５（ｃｍ）を得るために必要な荷重（ｇ重）を計測するとともに、この理美容用櫛１を用いてカット作業を行った場合に、カットを行った施術者の作業性の評価を明らかにした。
【００６０】
荷重を計測する実験は以下のように行った。まず曲率半径９ｃｍの球体表面を一般的な成人の頭部と見立て、球体表面のモデルを厚さ２ｃｍのスギ板で作成し、計量器に載せた。球体モデルには垂直方向に目盛りをつけた。そして用意した立上用理美容櫛８を水平状態のまま、立上用櫛歯８３を球体モデルの頂上に当接した。そして１５本の立上用櫛歯８３の先端部８３ｘを全て球体表面に当接させるように鉛直下方に押圧し、左右の立上用櫛歯８３の位置が、中央の立上用櫛歯８３より１．５ｃｍ下の位置になるまで荷重を加えた。
【００６１】
ここで施術者の作業性の評価とは、施術者がこの理美容用櫛１でカット作業を行う間、櫛の取り扱いにストレスを感じる度合いとした。櫛の取り扱いについては、施術者が押圧するときの荷重の加えやすさ、カットウィックに不必要に接触しないか否か、取り回しのときに重いと感じるか等を総合的に判断して評価した。具体的には一回でもストレスを感じた場合を×、ストレスを感じない場合は△、快適と感じる場合は○、非常に快適と感じる場合は◎として４段階により表した。施術者は３０年の経験を有する美容師とし、カットウィックはフォンテーヌ社製レッスン用カットウィック（ＦＣ１０８Ｎ）を用いた。
【００６２】
実験に用いた立上用櫛歯８３は、以下のように構成した。
【００６３】
支持部８２と立上用櫛歯８３は、ポリプロピレンから一体成形で製造される。立上用櫛歯８３の中間部の横断面形状は略長方形とされ、幅Ｗと厚みＨは一定とされている。狭小部８３ｃは、先端８３ｄを頂点として四角錘のように縮径し、その横断面形状は長方形から、先端８３ｄ側に向かうほど正円に近づくように縮径されている。先端３ｄは丸められ、その曲率半径は、約０．９０ｍｍである。そして、中央の立上用櫛歯８３の長さｓが最も長く設定されている。他の立上用櫛歯８３の長さｓは、支持部８２の中央部から左右の末端部に向かうに従って左右対称的に短く設定されている。複数の立上用櫛歯８３の先端８３ｄが図２に示すように略一直線に揃うように、長さｓは調節されている。また左右両端の立上用櫛歯８３の長さｓも、その先端８３ｄがその他の立上用櫛歯８３の先端位置より若干低く配設されるように調節されている。左右両端の立上用櫛歯８３の長さｓは、中央の立上用櫛歯８３の長さｓよりも約１．０ｃｍ短い長さとしている。また先端部８３ｘの長さｋは約１．８ｃｍとしている。立上用櫛歯８３の幅Ｗは約６．０ｍｍ、立上用櫛歯８３の厚みＨは約４．０ｍｍである。立上用櫛歯８３の間隔Ｌは、約１．０ｍｍである。
【００６４】
表２は、この実験から得られた結果を表す。
【００６５】
【表２】
2011045407.tif 000004
【００６６】
この表２よりの長さｓが、７．０〜２３．０ｃｍの範囲である場合、約６５〜約２０００ｇ重の荷重が必要と立上用櫛歯８３されることが確認できる。また施術者の作業性の評価が△及び○および◎であることが確認できる。
【００６７】
また立上用櫛歯８３の長さｓが、１０．０〜２０．０ｃｍの範囲である場合、約１００ｇ重〜約８５０ｇ重の荷重が必要とされることが確認できる。また施術者の作業性の評価が○及び◎であることが確認できる。
【００６８】
また立上用櫛歯８３の長さｓが、１２．０〜１７．０ｃｍの範囲である場合、約１５０ｇ重〜約５００ｇ重の荷重が必要とされることが確認できる。また施術者の作業性の評価が◎であることが確認できる。
【００６９】
これにより本実験の条件下では、立上用櫛歯８３の長さｓの好適範囲は７．０〜２３．０ｃｍの範囲であることがわかる。
【実施例３】
【００７０】
立上用櫛歯８３の部材の曲げ弾性率以外の条件が一定であるとき、曲げ弾性率が小さい程、立上用櫛歯８３の最大垂直高さｈは大きくなる。よって施術者は軽い力で立上用櫛歯８３を大きく撓ませることができる。しかし立上用櫛歯８３が弾性変形によって、最初の状態に復元する時間は長くなる。反対に、曲げ弾性率が大きい程、立上用櫛歯８３の最大垂直高さｈは小さくなる。よって施術者は立上用櫛歯８３を撓ませるために大きな力を必要とする。しかし立上用櫛歯８３が弾性変形によって、最初の状態に復元する時間は短くなる。
【００７１】
そこで本発明者は、立上用櫛歯８３の最大垂直高さｈの好適範囲を明らかにするため、下記のような実験を行なった。
【００７２】
この実験では、立上用櫛歯８３の最大垂直高さｈが、０．０〜６．０ｃｍまでの間で異なる高さとされた立上用理美容櫛８を６種類用意した。そして、この、立上用理美容櫛８を用いて所定のカット作業を行った場合の作業時間を明らかにした。施術者は３０年の経験を有する美容師とし、カットモデルはフォンテーヌ社製レッスン用カットウィック（ＦＣ１０８Ｎ）を用いた。カットするスタイルは頭頂部の毛髪を約１０ｃｍカットするスクエアカットとした。また作業時間（分）の１分未満は繰り上げとした。
【００７３】
実際の実験に用いた立上用理美容櫛８の詳細な構成及びスペックは、上述した実施例２と同様である。
【００７４】
この垂直高さｈと作業時間との関係の実験結果を表３に示す。
【００７５】
【表３】
2011045407.tif 000005
【００７６】
この表３より立上用櫛歯８３の最大垂直高さｈが、０．５〜６．０ｃｍの範囲である場合、作業時間は約１５分以内であることが確認できる。また立上用櫛歯８３の最大垂直高さｈが、１．０〜４．０ｃｍの範囲である場合、作業時間は約１０分以内であることが確認できる。そして立上用櫛歯８３の最大垂直高さｈが、約２．０ｃｍである場合、作業時間は約５分と最も短いことが確認できる。
【００７７】
これにより本実験の条件下では、櫛歯３の最大垂直高さｈの好適範囲は０．５〜６．０ｃｍの範囲であり、より望ましくは１．０〜６．０ｃｍとされていることが望ましい。
【符号の説明】
【００７８】
１  理美容用櫛
２  基部
３  櫛歯
４  間隙
８  立上用理美容櫛
２１  支持面
２２  右側面部
２３  底面部
３１  棒状部
３２  分岐部
３３  溝
８２  支持部
８３  立上用櫛歯
８４  間隙
【図１】
2011045407.tif 000006
【図２】
2011045407.tif 000007
【図３】
2011045407.tif 000008
【図４】
2011045407.tif 000009
【図５】
2011045407.tif 000010
【図６】
2011045407.tif 000011
【図７】
2011045407.tif 000012
【図８】
2011045407.tif 000013
【図９】
2011045407.tif 000014
【図１０】
2011045407.tif 000015
【図１１】
2011045407.tif 000016
【図１２】
2011045407.tif 000017
【手続補正書】
【提出日】平成21年11月9日(2009.11.9)
【手続補正１】
【補正対象書類名】特許請求の範囲
【補正対象項目名】全文
【補正方法】変更
【補正の内容】
【特許請求の範囲】
【請求項１】
施術者が下端側から把持するための基部と、
上記基部の上端側から互いに略平行に延長されてなり、幅方向へ二股に分岐させた分岐部を先端に形成させた櫛歯とを備え、
上記櫛歯の長さは、１０〜３０ｃｍであること
を特徴とする理美容用櫛。
【請求項２】
上記分岐部は、二股に分岐させた略Ｕ形又は略Ｖ形の溝が形成され、
上記溝の深さは、０．５〜３ｃｍであること
を特徴とする請求項１記載の理美容用櫛。
【請求項３】
支持部と、上記支持部の一側に一列に互いに略平行に設けられた複数の立上用櫛歯とを備え、上記立上用櫛歯は、根元から先端までの長さが７．０〜２３．０ｃｍであり、その当接部を介して当接させた頭部に向かって押圧されることにより、各々が上記頭部の形状に応じて、当該櫛歯の厚み方向の撓みが１．０ｃｍ以上６．０ｃｍ以下となるように湾曲されて曲げ弾性変形する立上用理美容櫛におけるその櫛歯を頭部に当接させ、
上記当接部を上記頭部に向かって押圧しながら上記立上用理美容櫛をスライドさせることにより、上記頭部の毛髪を上記立上用櫛歯の間に通しながら、各々の立上用櫛歯を上記頭部の形状に対応して曲げ弾性変形させ、
上記立上用理美容櫛により毛髪を立ち上げた状態で、請求項１〜３のうち何れか１項記載の理美容用櫛における上記櫛歯をその毛髪に挿入し続けることにより、その櫛歯の分岐部に捉えた毛髪を順次押し寝かせて上記立ち上げられた毛髪を梳き、
その梳いた毛髪を理美容すること
を特徴とする理美容方法。
【請求項４】
他の櫛により上記毛髪を立ち上げた状態で、請求項１又は２記載の理美容用櫛における上記櫛歯をその毛髪に挿入し続けることにより、その櫛歯の分岐部に捉えた毛髪を順次押し寝かせて上記立ち上げられた毛髪を梳き、
その梳いた毛髪を理美容すること
を特徴とする理美容方法。
【手続補正２】
【補正対象書類名】明細書
【補正対象項目名】０００９
【補正方法】変更
【補正の内容】
【０００９】
本願第１の発明に係る理美容用櫛は、施術者が下端側から把持するための基部と、上記基部の上端側から互いに略平行に延長されてなり、幅方向へ二股に分岐させた分岐部を先端に形成させた櫛歯とを備え、上記櫛歯の長さは、１０〜３０ｃｍであることを特徴とする。
【手続補正３】
【補正対象書類名】明細書
【補正対象項目名】００１０
【補正方法】変更
【補正の内容】
【００１０】
本願第２の発明に係る理美容用櫛は、第１の発明において、上記分岐部は、二股に分岐させた略Ｕ形又は略Ｖ形の溝が形成され、上記溝の深さは、０．５〜３ｃｍであることを特徴とする。
【手続補正４】
【補正対象書類名】明細書
【補正対象項目名】００１１
【補正方法】変更
【補正の内容】
【００１１】
本願第３の発明に係る理美容方法は、支持部と、上記支持部の一側に一列に互いに略平行に設けられた複数の立上用櫛歯とを備え、上記立上用櫛歯は、根元から先端までの長さが７．０〜２３．０ｃｍであり、その当接部を介して当接させた頭部に向かって押圧されることにより、各々が上記頭部の形状に応じて、当該櫛歯の厚み方向の撓みが１．０ｃｍ以上６．０ｃｍ以下となるように湾曲されて曲げ弾性変形する立上用理美容櫛におけるその櫛歯を頭部に当接させ、上記当接部を上記頭部に向かって押圧しながら上記立上用理美容櫛をスライドさせることにより、上記頭部の毛髪を上記立上用櫛歯の間に通しながら、各々の立上用櫛歯を上記頭部の形状に対応して曲げ弾性変形させ、上記立上用理美容櫛により毛髪を立ち上げた状態で、請求項１〜３のうち何れか１項記載の理美容用櫛における上記櫛歯をその毛髪に挿入し続けることにより、その櫛歯の分岐部に捉えた毛髪を順次押し寝かせて上記立ち上げられた毛髪を梳き、その梳いた毛髪を理美容することを特徴とする。
【手続補正５】
【補正対象書類名】明細書
【補正対象項目名】００１２
【補正方法】変更
【補正の内容】
【００１２】
本願第４の発明に係る理美容方法は、他の櫛により上記毛髪を立ち上げた状態で、第１又は第２の発明に係る理美容用櫛における上記櫛歯をその毛髪に挿入し続けることにより、その櫛歯の分岐部に捉えた毛髪を順次押し寝かせて上記立ち上げられた毛髪を梳き、その梳いた毛髪を理美容することを特徴とする。
【手続補正６】
【補正対象書類名】明細書
【補正対象項目名】００１３
【補正方法】削除
【補正の内容】
【手続補正書】
【提出日】平成21年12月24日(2009.12.24)
【手続補正１】
【補正対象書類名】特許請求の範囲
【補正対象項目名】全文
【補正方法】変更
【補正の内容】
【特許請求の範囲】
【請求項１】
施術者が下端側から把持するための基部と、
上記基部の上端側から互いに略平行に延長されてなり、幅方向へ二股に分岐させた分岐部を先端に形成させた櫛歯とを備え、
上記櫛歯の長さは、１０〜３０ｃｍであること
を特徴とする理美容用櫛。
【請求項２】
上記分岐部は、二股に分岐させた略Ｕ形又は略Ｖ形の溝が形成され、
上記溝の深さは、０．５〜３ｃｍであること
を特徴とする請求項１記載の理美容用櫛。
【請求項３】
支持部と、上記支持部の一側に一列に互いに略平行に設けられた複数の立上用櫛歯とを備え、上記立上用櫛歯は、根元から先端までの長さが７．０〜２３．０ｃｍであり、その当接部を介して当接させた頭部に向かって押圧されることにより、各々が上記頭部の形状に応じて、当該櫛歯の厚み方向の撓みが１．０ｃｍ以上６．０ｃｍ以下となるように湾曲されて曲げ弾性変形する立上用理美容櫛におけるその櫛歯を頭部に当接させ、
上記当接部を上記頭部に向かって押圧しながら上記立上用理美容櫛をスライドさせることにより、上記頭部の毛髪を上記立上用櫛歯の間に通しながら、各々の立上用櫛歯を上記頭部の形状に対応して曲げ弾性変形させ、
上記立上用理美容櫛により毛髪を立ち上げた状態で、請求項１又は請求項２記載の理美容用櫛における上記櫛歯をその毛髪に挿入し続けることにより、その櫛歯の分岐部に捉えた毛髪を順次押し寝かせて上記立ち上げられた毛髪を梳き、
その梳いた毛髪を理美容すること
を特徴とする理美容方法。
【請求項４】
他の櫛により毛髪を立ち上げた状態で、請求項１又は２記載の理美容用櫛における上記櫛歯をその毛髪に挿入し続けることにより、その櫛歯の分岐部に捉えた毛髪を順次押し寝かせて上記立ち上げられた毛髪を梳き、
その梳いた毛髪を理美容すること
を特徴とする理美容方法。
【手続補正２】
【補正対象書類名】明細書
【補正対象項目名】００１１
【補正方法】変更
【補正の内容】
【００１１】
本願第３の発明に係る理美容方法は、支持部と、上記支持部の一側に一列に互いに略平行に設けられた複数の立上用櫛歯とを備え、上記立上用櫛歯は、根元から先端までの長さが７．０〜２３．０ｃｍであり、その当接部を介して当接させた頭部に向かって押圧されることにより、各々が上記頭部の形状に応じて、当該櫛歯の厚み方向の撓みが１．０ｃｍ以上６．０ｃｍ以下となるように湾曲されて曲げ弾性変形する立上用理美容櫛におけるその櫛歯を頭部に当接させ、上記当接部を上記頭部に向かって押圧しながら上記立上用理美容櫛をスライドさせることにより、上記頭部の毛髪を上記立上用櫛歯の間に通しながら、各々の立上用櫛歯を上記頭部の形状に対応して曲げ弾性変形させ、上記立上用理美容櫛により毛髪を立ち上げた状態で、第１又は第２の発明に係る理美容用櫛における上記櫛歯をその毛髪に挿入し続けることにより、その櫛歯の分岐部に捉えた毛髪を順次押し寝かせて上記立ち上げられた毛髪を梳き、その梳いた毛髪を理美容することを特徴とする。
【手続補正３】
【補正対象書類名】明細書
【補正対象項目名】００１２
【補正方法】変更
【補正の内容】
【００１２】
本願第４の発明に係る理美容方法は、他の櫛により毛髪を立ち上げた状態で、第１又は第２の発明に係る理美容用櫛における上記櫛歯をその毛髪に挿入し続けることにより、その櫛歯の分岐部に捉えた毛髪を順次押し寝かせて上記立ち上げられた毛髪を梳き、その梳いた毛髪を理美容することを特徴とする。